(57)【要約】【課題】発泡スチロールをはじめとする保温プレート材を人為的に外す以外は剥離してしまうことがないものとし、常時保温効果を保持することができるようにしたメーターボックスの蓋体とする。【解決手段】裏面に逆錐状をし、内部に受穴を形成した突起を一体に突設し、その突起に保温プレート材を嵌め付け、かつ、その保温プレート材の外面から前記突起の受穴に止着部材を挿通してあることとし、前記した蓋体は鋳物製とし、保温プレート材は発泡スチロールを用いたこととし、前記した止着部材は斜状の環状突条を備えたピン材としたこととし、前記した受穴は突起の外周面と沿った逆錐状のものとし、止着部材として、脚部の拡開する割りピンを使用したこととする。【選択図】          図１
2005009165.tif 000002
【特許請求の範囲】
【請求項１】
裏面に逆錐状をし、内部に受穴を形成した突起を一体に突設し、その突起に保温プレート材を嵌め付け、かつ、その保温プレート材の外面から前記突起の受穴に止着部材を挿通してあることを特徴とするメーターボックスの蓋体。
【請求項２】
前記した蓋体は鋳物製とし、保温プレート材は発泡スチロールを用いたことを特徴とする請求項１に記載のメーターボックスの蓋体。
【請求項３】
前記した止着部材は斜状の環状突条を備えたピン材としたことを特徴とする請求項１または請求項２に記載のメーターボックスの蓋体。
【請求項４】
前記した受穴は突起の外周面と沿った逆錐状のものとし、止着部材として、脚部の拡開する割りピンを使用したことを特徴とする請求項１または請求項２に記載のメーターボックスの蓋体。
【発明の詳細な説明】
【０００１】
【発明の属する技術分野】
本発明はメーターボックスの蓋体、特に上水道設備におけるメーター（流量計）を収用するメーターボックス（メーターます）の上面開口を開閉する蓋体の構造の改良に関する。
【０００２】
【特許文献】
出願人にあって、先行する技術文献の調査を行なったが、本発明と類似すると思われるものは特に発見できなかった。
【０００３】
【発明の背景】
一般的に、上水道設備におけるメーターボックスは土中に形成され、上面を開口させた構成となっており、このメーターボックス内に配管と接続されたメーター及び仕切弁や短管が収用され、前記した上面の開口には蓋体が開閉自在に枢着されている。
【０００４】
また、前記した蓋体は通例鋳物によって成形されており、特に寒冷地等にあっては流通する上水の凍結防止のために、この蓋体に保温材、それもプレート状の保温材を具備させることが行われている。
【０００５】
この保温材としては発泡スチロールが使用されることが多く、従来はプレート状とされた発泡スチロールを接着剤によって蓋体の裏面に貼着する構造とされていた。
【０００６】
【発明が解決しようとする課題】
しかしながら、接着剤を用いて、蓋体の裏面に発泡スチロールを貼着する構造は湿気あるいは乾燥、その他外的衝撃、振動等の要因で容易に発泡スチロールが剥離してしまい、繰り返しての貼着作業が強いられるほか、剥離状態を知らずにいれば保温効果が一切得られない事態となってしまう。
【０００７】
【発明の目的】
そこで、本発明は上記した従来の実情、問題点に着目してなされたもので、かかる問題点を解消して、発泡スチロールをはじめとする保温プレート材を人為的に外す以外は剥離してしまうことがないものとし、常時保温効果を保持することができるようにしたメーターボックスの蓋体を提供することを目的としている。
【０００８】
【課題を解決するための手段】
この目的を達成するために、本発明に係るメーターボックスの蓋体は裏面に逆錐状をし、内部に受穴を形成した突起を一体に突設し、その突起に保温プレート材を嵌め付け、かつ、その保温プレート材の外面から前記突起の受穴に止着部材を挿通してあることを特徴とし、前記した蓋体は鋳物製とし、保温プレート材は発泡スチロールを用いたことを特徴とし、前記した止着部材は斜状の環状突条を備えたピン材としたことを特徴としている。
【０００９】
また、本発明に係るメーターボックスの蓋体は前記した受穴は突起の外周面と沿った逆錐状のものとし、止着部材として、脚部の拡開する割りピンを使用したことを特徴としている。
【００１０】
【作用】
上記した構成としたことによって、発泡スチロール等をはじめとする保温プレート材に蓋体裏面に突設された突起が喰い込まされて嵌合され、さらに止着部材によって保温プレート材を貫通して受穴で受けるため、故意的に保温プレート材を外さない限り、保温プレート材は蓋体裏面に安定して保持され、常に保温効果を持続させることができることとなるのである。
【００１１】
【発明の実施の形態】
次に、本発明の好ましい実施の形態を図面を参照して説明する。図１は本発明を実施したメーターボックスの蓋体を分離して示す断面図、図２は同じく止着ピン材の正面図、図３は別の止着構造を示す部分断面図、図４は同じく蓋体の裏面図である。
【００１２】
これらの図にあって１はメーターボックス（メーターます）の蓋体本体を示しており、この蓋体本体１は本実施の形態にあって鋳物によって成形されているが、特に鋳物に限定されることなく、例えば他の金属やセラミックあるいは強化プラスチック等の塑性物によって成形することも可能である。
【００１３】
この蓋体本体１の裏面側には複数箇の突起２・２が一体に突設されている。この突起２・２は逆錐状、特に逆円錐状となっており、その頭部は切断された裁頭型のものとされている。
【００１４】
また、前記した突起２・２内には一端を開口させた受穴３・３が設けられている。この受穴３・３には後述する止着部材が挿入嵌合されることとなる。
【００１５】
一方、図中４は保温プレート材としての発泡スチロールを示している。本実施の形態では保温プレート材として発泡スチロール４を使用しているが、これに限定されることなく、ある程度の端縁での保形性があればネル、ラシャ、編物等を積層させて用いることも可能である。
【００１６】
この発泡スチロール４は蓋体本体１の裏面に対して押し付けられ、前記した突起２・２をこの発泡スチロール４に喰い込ませて重合される。換言すれば、前記突起２・２は発泡スチロール４内に埋設されることとなる。この突起２・２の発泡スチロール４への喰い込みでもその摩擦力によってある程度の装着力が得られる。
【００１７】
上記した発泡スチロール４の装着後、その発泡スチロール４の外方から止着部材、この実施の形態では止着ピン５・５が前記した突起２・２の受穴３・３に対して挿し込まれる。
【００１８】
この止着ピン５・５は押え部となる略円板状をした頭部６を有しており、この頭部６の中央に挿し込み軸７が一体に突設されている。この挿し込み軸７には斜状とした環状突条８・８‥が複数本、所定のピッチで一体形成されており、止着ピン５・５を発泡スチロール４に挿し込み、貫通させて受穴３・３で受けさせた際、この環状突条８・８‥が抜け止めとして作用することになる。
【００１９】
さらに、図３として示すのは本発明の別の実施の形態であり、この場合は突起２に形成されている受穴３ａを、突起２の外側面に沿った逆錐状のものとしている。
【００２０】
また、ここに使用される止着ピン５ａはばね性を有する挿し込み部９・９とした割りピンとされている。挿し込み部９・９は拡開方向への附勢力を有するばね材とされ、それをすぼめた状態で発泡スチロール４に挿し込み、貫通させると受穴３ａ内で拡開し、抜け止めを図るものとなっている。
【００２１】
止着部材として、具体的には止着ピン５・５ａを図示したが、このほかにも、既知のねじ類やアンカー等も応用使用することができることは勿論である。
【００２２】
【発明の効果】
本発明に係るメーターボックスの蓋体は上述のように構成されている。そのために、発泡スチロールをはじめとする保温プレート材は故意的な場合を除いて、剥離、脱落してしまうことはなく、常時保温効果を安定して持続させることができ、従前のように保温プレート材の再貼着等の煩わしい作業は一切不要のものとすることができる。
【図面の簡単な説明】
【図１】本発明を実施したメーターボックスの蓋体を分離して示す断面図である。
【図２】止着ピン材の正面図である。
【図３】別の止着構造を示す部分断面図である。
【図４】蓋体の裏面図である。
【符号の説明】
１  蓋体本体
２  突起
３  受穴
３ａ  受穴
４  発泡スチロール
５  止着ピン
５ａ  止着ピン
６  頭部
７  挿し込み軸
８  環状突条
９  挿し込み部
【図１】
2005009165.tif 000003
【図２】
2005009165.tif 000004
【図３】
2005009165.tif 000005
【図４】
2005009165.tif 000006